(57)【要約】      （修正有）【課題】「Ｉｎｔｅｒ-ｅＮＢ  ＣＡ」が行われている際に、移動局による信号の送信先の無線基地局を切り替えた場合であっても、かかる信号の受信処理の遅延を回避する。【解決手段】無線基地局ｅＮＢ＃１１は、無線基地局ｅＮＢ＃１/ｅＮＢ＃１２/ｅＮＢ＃１３に対して、移動局ＵＥとの間の通信で用いられているレイヤ２における状態変数を通知するように構成されている送信部を具備する。【選択図】図１
2014168163.tif 000002
【特許請求の範囲】
【請求項１】
移動局が複数の無線基地局配下のセルを用いたキャリアアグリゲーションを行っている場合に、配下の第１セルを介して該移動局からの上りリンクデータを受信するように構成されている該複数の無線基地局内の無線基地局であって、
前記複数の無線基地局内の他の無線基地局に対して、前記移動局との間の通信で用いられているレイヤ２における状態変数を通知するように構成されている送信部を具備することを特徴とする無線基地局。
【請求項２】
前記送信部は、所定無線基地局を介して、前記他の無線基地局に対して、前記状態変数を通知するように構成されていることを特徴とする請求項１に記載の無線基地局。
【請求項３】
前記送信部は、前記他の無線基地局のうち、下りリンク専用セルのみを管理する無線基地局に対しては、前記状態変数を通知しないように構成されていることを特徴とする請求項１又は２に記載の無線基地局。
【請求項４】
前記送信部は、前記無線基地局に対して設定されている周期で、前記状態変数を通知するように構成されていることを特徴とする請求項１乃至３のいずれか一項に記載の無線基地局。
【請求項５】
前記送信部は、前記他の無線基地局からの要求に応じて、前記状態変数を通知するように構成されていることを特徴とする請求項１乃至３のいずれか一項に記載の無線基地局。
【請求項６】
前記送信部は、所定個数又は所定データ量の上りリンクデータが受信された場合に、前記状態変数を通知するように構成されていることを特徴とする請求項１乃至３のいずれか一項に記載の無線基地局。
【請求項７】
前記送信部は、受信された上りリンクデータに抜けが検出された場合に、前記状態変数を通知するように構成されていることを特徴とする請求項１乃至３のいずれか一項に記載の無線基地局。
【請求項８】
前記送信部は、前記抜けが検出されてから所定時間経過した後に、前記状態変数を通知するように構成されていることを特徴とする請求項７に記載の無線基地局。
【請求項９】
前記送信部は、前記第１セルにおける品質が所定レベルよりも劣化した場合、或いは、前記他の無線基地局配下のセルにおける品質が所定レベルよりも良くなった場合、前記状態変数を通知するように構成されていることを特徴とする請求項１乃至３のいずれか一項に記載の無線基地局。
【発明の詳細な説明】
【技術分野】
【０００１】
本発明は、無線基地局に関する。
【背景技術】
【０００２】
ＬＴＥ（Ｌｏｎｇ  Ｔｅｒｍ  Ｅｖｏｌｕｔｉｏｎ）方式に対応する無線基地局ｅＮＢ及び移動局ＵＥは、ＰＨＹ（物理）レイヤと、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、ＲＲＣ（Ｒａｄｉｏ  Ｒｅｓｏｕｒｃｅ  Ｃｏｎｔｒｏｌ）レイヤとを有している。
【０００３】
ＰＤＣＰレイヤは、秘匿処理や改竄検出処理やヘッダ圧縮処理を行うように構成されている。
【０００４】
ここで、秘匿処理及び改竄検出処理では、ＣＯＵＮＴ値が用いられる。かかるＣＯＵＮＴ値は、ＨＦＮ（Ｈｙｐｅｒ  Ｆｒａｍｅ  Ｎｕｍｂｅｒ）とＰＤＣＰ-ＳＮ（Ｓｅｑｕｎｅｃｅ  Ｎｕｍｂｅｒ）」とによって構成されている。
【０００５】
ＰＤＣＰ-ＳＮは、１２ビット又は７ビットで構成されており、ＰＤＣＰレイヤによってＲＬＣに対してパケットが送出される度にインクリメントされるように構成されている。
【０００６】
また、ＨＦＮは、２０ビット又は２５ビットで構成されており、ＰＤＣＰ-ＳＮが周回する度にインクリメントされるように構成されている。
【０００７】
なお、送信側のＰＤＣＰレイヤと受信側のＰＤＣＰレイヤとの間で、ＣＯＵＮＴ値が同期していなければ、受信側のＰＤＣＰレイヤにおいて、正しく解匿処理を行うことができない。
【０００８】
具体的には、送信側のＰＤＣＰレイヤは、ＲＲＣレイヤから受け取ったパケット（ＰＤＣＰ-ＳＤＵ）に対して、ＣＯＵＮＴ値を用いて、秘匿処理（ヘッダ圧縮処理及び改竄検出処理）を施し、ヘッダにＰＤＣＰ-ＳＮを付与することによって、ＰＤＣＰ-ＰＤＵとしてＲＬＣレイヤに送出するように構成されている。
【０００９】
一方、受信側のＰＤＣＰレイヤは、受信ウィンドウを管理しており、図５に示すように、受信したパケット（ＰＤＣＰ-ＰＤＵ）に付与されているＰＤＣＰ-ＳＮが受信ウィンドウ外のＰＤＣＰ-ＳＮであれば、かかるパケットを破棄するように構成されている。
【００１０】
なお、受信側のＰＤＣＰレイヤは、受信したパケット（ＰＤＣＰ-ＰＤＵ）に付与されているＰＤＣＰ-ＳＮが受信ウィンドウ内のＰＤＣＰ-ＳＮであれば、現在の受信状態から、かかるパケットの解匿処理に用いるべきＨＦＮを推測し、かかるパケットに対して、推測したＨＦＮを用いて解匿処理を施すことによって得られたパケット（ＰＤＣＰ-ＳＤＵ）を上位レイヤに送出し、受信ウィンドウを更新するように構成されている。
【００１１】
また、送信側のＲＬＣレイヤ及び受信側のＲＬＣレイヤは、順序制御や重複制御を提供するためにウィンドウ制御を行うように構成されている。
【００１２】
ここで、送信側のＲＬＣレイヤは、新規のＲＬＣ-ＰＤＵを送信する度に、ＳＮ（Ｓｅｑｕｅｎｃｅ  Ｎｕｍｂｅｒ）を付与し、受信側のＲＬＣレイヤからの「Ｓｔａｔｕｓ  ｒｅｐｏｒｔ（ＡＣＫ/ＮＡＣＫ）」の受信を以って「Ｔｘ  ｗｉｎｄｏｗ」を更新するように構成されている。
【００１３】
一方、受信側のＲＬＣレイヤは、ＳＮの順番にＲＬＣ-ＰＤＵを受信できた場合、「Ｒｘ  ｗｉｎｄｏｗ」を更新するように構成されている。「Ｒｘ  ｗｉｎｄｏｗ」は、受信側のＲＬＣレイヤによって管理されている状態変数によって表現される。
【００１４】
また、送信側のＲＬＣレイヤは、受信側のＲＬＣレイヤからの「Ｓｔａｔｕｓ  ｒｅｐｏｒｔ」を受信できない場合には、「Ｔｘ  ｗｉｎｄｏｗ」を更新することができないため、すなわち、「Ｔｘ  ｗｉｎｄｏｗ  ｓｔａｌｌｉｎｇ」の発生により新規のＲＬＣ-ＰＤＵを送信できなくなるため、受信側のＲＬＣレイヤは、適切な頻度で、「Ｓｔａｔｕｓ  ｒｅｐｏｒｔ」をフィードバックするように構成されている。
【００１５】
例えば、受信側のＲＬＣレイヤは、送信側からのフィードバック要求に応じて、或いは、受信したＲＬＣ-ＰＤＵのＳＮの抜けの検出に応じて、「Ｓｔａｔｕｓ  ｒｅｐｏｒｔ」をフィードバックするように構成されている。
【００１６】
また、ＬＴＥ方式のＲｅｌｅａｓｅ-１０において、２０ＭＨｚを超える広帯域通信（例えば、１００Ｈｚの通信）を実現するために、同一の無線基地局ｅＮＢ配下の複数のＣＣ（Ｃｏｍｐｏｎｅｎｔ  Ｃａｒｒｉｅｒ：コンポーネントキャリア）を束ねて通信を行うＣＡ（Ｃａｒｒｉｅｒ  Ａｇｇｒｅｇａｔｉｏｎ：キャリアアグリゲーション）、すなわち、「Ｉｎｔｒａ-ｅＮＢ  ＣＡ」が導入された（図６（ａ）参照）。
【００１７】
その後、ＬＴＥ方式のＲｅｌｅａｓｅ-１２以降で、「Ｓｍａｌｌ  Ｃｅｌｌ  ｅｎｈａｎｃｅｍｅｎｔ」が提案され、従来よりも更に柔軟なネットワークアーキテクチャの１つとして、異なる無線基地局ｅＮＢ配下のＣＣ（セル）を束ねて通信を行う「Ｉｎｔｅｒ-ｅＮＢ  ＣＡ」の導入が検討されている（図６（ｂ）参照）。
【００１８】
例えば、「Ｉｎｔｅｒ-ｅＮＢ  ＣＡ」を用いて、信頼性の必要な制御信号（Ｃ-ｐｌａｎｅ信号）については、ＳＲＢ（Ｓｉｇｎａｌｉｎｇ  Ｒａｄｉｏ  Ｂｅａｒｅｒ）を介して無線基地局ｅＮＢ＃１配下のセル＃１（マクロセル）で通信を行い、広帯域通信の必要な上りリンクデータ（Ｕ-ｐｌａｎｅ信号）については、ＤＲＢ（Ｄａｔａ  Ｒａｄｉｏ  Ｂｅａｒｅｒ）を介して無線基地局ｅＮＢ＃１１配下のセル＃１１（スモールセル）で通信を行うといった運用も考えられる。
【００１９】
さらに、「Ｉｎｔｅｒ-ｅＮＢ  ＣＡ」を行う際の運用形態の１つとして、図７に示すように、移動局ＵＥが、信号種別に応じて、信号の送信先の無線基地局ｅＮＢ（例えば、無線基地局ｅＮＢ＃１/ｅＮＢ＃１１）を切り替えることが検討されている。
【先行技術文献】
【非特許文献】
【００２０】
【非特許文献１】３ＧＰＰ  ＴＳ３６.３２３
【非特許文献２】３ＧＰＰ  ＴＳ３６.３２２
【非特許文献３】３ＧＰＰ寄書  Ｒ２-１２２６５１
【非特許文献４】３ＧＰＰ寄書  Ｒ２-１３０４１６
【発明の概要】
【発明が解決しようとする課題】
【００２１】
しかしながら、既存のＬＴＥ方式では、図８に示すように、移動局ＵＥが、信号の送信先の無線基地局ｅＮＢを動的に切り替える場合に、切リ替え元の無線基地局ｅＮＢから切り替え先の無線基地局ｅＮＢに対して、切り替え元の無線基地局ｅＮＢと移動局ＵＥとの間の通信で用いられていたレイヤ２（ＲＬＣレイヤ及びＰＤＣＰレイヤ）における状態変数を通知する仕組みについて検討されていない。
【００２２】
したがって、既存のＬＴＥ方式では、切り替え先の無線基地局ｅＮＢは、次のどのＳＮのＰＤＵの受信を期待すればよいかすぐに分からないため、移動局ＵＥによって送信される信号の受信処理が遅延してしまうという問題点があった。
【００２３】
そこで、本発明は、上述の課題に鑑みてなされたものであり、「Ｉｎｔｅｒ-ｅＮＢ  ＣＡ」が行われている際に、移動局による信号の送信先の無線基地局を切り替えた場合であっても、かかる信号の受信処理の遅延を回避することができる無線基地局を提供することを目的とする。
【課題を解決するための手段】
【００２４】
本発明の第１の特徴は、移動局が複数の無線基地局配下のセルを用いたキャリアアグリゲーションを行っている場合に、配下の第１セルを介して該移動局からの上りリンクデータを受信するように構成されている該複数の無線基地局内の無線基地局であって、前記複数の無線基地局内の他の無線基地局に対して、前記移動局との間の通信で用いられているレイヤ２における状態変数を通知するように構成されている送信部を具備することを要旨とする。
【発明の効果】
【００２５】
以上説明したように、本発明によれば、「Ｉｎｔｅｒ-ｅＮＢ  ＣＡ」が行われている際に、移動局による信号の送信先の無線基地局を切り替えた場合であっても、かかる信号の受信処理の遅延を回避することができる無線基地局を提供することができる。
【図面の簡単な説明】
【００２６】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局の動作を示すフローチャートである。
【図４】本発明の変更例１に係る移動通信システムの全体構成図である。
【図５】従来の移動通信システムについて説明するための図である。
【図６】従来の移動通信システムについて説明するための図である。
【図７】従来の移動通信システムについて説明するための図である。
【図８】従来の移動通信システムについて説明するための図である。
【発明を実施するための形態】
【００２７】
（本発明の第１の実施形態に係る移動通信システム）
図１乃至図３を参照して、本発明の第１の実施形態に係る移動通信システムについて説明する。
【００２８】
本実施形態では、ＬＴＥ方式の移動通信システムを例に挙げて説明するが、本発明は、かかる移動通信システムに限定されず、他の方式の移動通信システムにも適用可能である。
【００２９】
図１に示すように、本実施形態に係る移動通信システムは、セル＃１（図示せず）を管理する無線基地局ｅＮＢ＃１と、セル＃１１（図示せず）を管理する無線基地局ｅＮＢ＃１１と、セル＃１２（図示せず）を管理する無線基地局ｅＮＢ＃１２と、セル＃１３（図示せず）を管理する無線基地局ｅＮＢ＃１３とを具備している。
【００３０】
ここで、セル＃１１〜＃１３は、スモールセル（ファントムセル）であり、セル＃１は、マクロセルである。なお、セル＃１１〜＃１３のカバレッジエリアと、セル＃１のカバレッジエリアのカバレッジエリアとは、少なくとも一部で重なるように配置されている。
【００３１】
なお、無線基地局ｅＮＢ＃１は、マクロ無線基地局（Ｍａｃｒｏ-ｅＮＢ）と呼ばれてもよく、無線基地局ｅＮＢ＃１１〜＃１３は、スモール無線基地局（Ｓｍａｌｌ-ｅＮＢ）やファントム無線基地局（Ｐｈａｎｔｏｍ-ｅＮＢ）と呼ばれてもよい。
【００３２】
また、本実施形態に係る移動通信システムは、ＬＴＥ方式の移動通信システムであって、かかる本実施形態に係る移動通信システムにおいて、移動局ＵＥは、「Ｉｎｔｅｒ-ｅＮＢ  ＣＡ」を行うことができるように構成されている。
【００３３】
なお、本実施形態に係る移動通信システムでは、移動局ＵＥは、無線基地局ｅＮＢ＃１配下のセル＃１及び無線基地局ｅＮＢ＃１１〜ｅＮＢ＃１３配下のセル＃１１〜＃１３を介して「Ｉｎｔｅｒ-ｅＮＢ  ＣＡ」を行っているものとする。
【００３４】
また、本実施形態に係る移動通信システムでは、図１に示すように、かかる「Ｉｎｔｅｒ-ｅＮＢ  ＣＡ」を行っている移動局ＵＥは、上りリンクデータ（Ｕ-ｐｌａｎｅ信号）については、無線基地局ｅＮＢ＃１１に対して送信しているものとする。
【００３５】
以下、図２を参照して、本実施形態に係る無線基地局ｅＮＢの構成について説明する。ここで、本発明に係る構成については、無線基地局ｅＮＢ＃１/ｅＮＢ＃１１〜ｅＮＢ＃１３で同一であるため、代表して、無線基地局ｅＮＢ＃１１の構成について説明する。
【００３６】
図２に示すように、本実施形態に係る無線基地局ｅＮＢ＃１１は、管理部１１と、受信部１２と、送信部１３とを具備している。
【００３７】
管理部１１は、上述の移動局ＵＥとの間の通信で用いられているレイヤ２（ＰＤＣＰレイヤ及びＲＬＣレイヤ）における状態変数を管理するように構成されている。
【００３８】
例えば、管理部１１は、かかる状態変数として、ＰＤＣＰレイヤにおいてＰＤＣＰ-ＰＤＵに付与するＳＮや、ＲＬＣレイヤにおいてＲＬＣ-ＰＤＵに付与するＳＮ等を管理するように構成されている。
【００３９】
受信部１２は、他の無線基地局ｅＮＢ＃１/ｅＮＢ＃１２/ｅＮＢ＃１３や移動局ＵＥから各種信号を受信するように構成されており、送信部１３は、他の無線基地局ｅＮＢ＃１/ｅＮＢ＃１２/ｅＮＢ＃１３や移動局ＵＥに対して各種信号を送信するように構成されている。
【００４０】
本実施形態に係る移動通信システムでは、例えば、受信部１２は、移動局ＵＥから上りリンクデータを受信するように構成されている。
【００４１】
また、受信部１２は、無線基地局ｅＮＢ＃１/ｅＮＢ＃１２/ｅＮＢ＃１３から、上述の状態変数を通知するように要求する信号を受信するように構成されていてもよい。
【００４２】
送信部１３は、図１に示すように、所定タイミングで（例えば、周期的に）、無線基地局ｅＮＢ＃１/ｅＮＢ＃１２/ｅＮＢ＃１３に対して、移動局ＵＥとの間の通信で用いられているレイヤ２における状態変数を通知するように構成されている。
【００４３】
また、送信部１３は、上りリンクデータを受信する無線基地局ｅＮＢになり得る無線基地局ｅＮＢに対してのみ、かかる状態変数を通知するように構成されていてもよい。
【００４４】
すなわち、送信部１３は、上りリンクデータを受信する無線基地局ｅＮＢになり得えない無線基地局ｅＮＢ、例えば、「ＤＬ  ｏｎｌｙ  ｃｅｌｌ」のみを管理する無線基地局ｅＮＢに対しては、上述の状態変数を通知しないように構成されていてもよい。
【００４５】
また、送信部１３は、無線基地局ｅＮＢ＃１１に対して設定されている周期で、上述の状態変数を通知するように構成されていてもよい。なお、かかる周期は、無線基地局ｅＮＢごとに設定されていてもよい。
【００４６】
また、送信部１３は、所定イベントが発生した際に、上述の状態変数を通知するように構成されていてもよい。
【００４７】
例えば、送信部１３は、無線基地局ｅＮＢ＃１/ｅＮＢ＃１２/ｅＮＢ＃１３からの要求（ｐｏｉｉｎｇ）に応じて、上述の状態変数を通知するように構成されていてもよい。
【００４８】
或いは、送信部１３は、所定個数又は所定データ量の上りリンクデータが受信された場合に、上述の状態変数を通知するように構成されていてもよい。
【００４９】
或いは、送信部１３は、受信ウィンドウを所定分だけ更新した場合、上述の状態変数を通知するように構成されていてもよい。
【００５０】
或いは、送信部１３は、受信したＰＤＵのＳＮが周回しそうになった場合、上述の状態変数を通知するように構成されていてもよい。
【００５１】
また、送信部１３は、受信された上りリンクデータに抜けが検出された場合に、上述の状態変数を通知するように構成されていてもよい。
【００５２】
ここで、送信部１３は、受信された上りリンクデータに抜けが検出された場合即座に、上述の状態変数を通知するように構成されていてもよいし、受信された上りリンクデータに抜けが検出されてから所定時間経過した後に、上述の状態変数を通知するように構成されていてもよい。
【００５３】
さらに、送信部１３は、セル＃１１における品質が所定レベルよりも劣化した場合、或いは、無線基地局ｅＮＢ＃１/ｅＮＢ＃１２/ｅＮＢ＃１３配下のセルにおける品質が所定レベルよりも良くなった場合、上述の状態変数を通知するように構成されていてもよい。
【００５４】
以下、図３を参照して、本実施形態に係る移動通信システムの動作例について、具体的には、本実施形態に係る無線基地局ｅＮＢ＃１１の動作例について説明する。
【００５５】
図３に示すように、ステップＳ１０１において、無線基地局ｅＮＢ＃１１は、移動局ＵＥとの間の通信で用いられているレイヤ２における状態変数を通知する所定タイミングが到来したか否かについて判定する。
【００５６】
かかる所定タイミングが到来したと判断された場合、本動作は、ステップＳ１０３に進み、かかる所定タイミングが到来していないと判断された場合、本動作は、ステップＳ１０２に進む。
【００５７】
ステップＳ１０２において、無線基地局ｅＮＢ＃１１は、無線基地局ｅＮＢ＃１/ｅＮＢ＃１２/ｅＮＢ＃１３から、上述のレイヤ２における状態変数を通知する用に要求する信号を受信したか否かについて判定する。
【００５８】
かかる信号が受信されたと判断された場合、本動作は、ステップＳ１０３に進み、かかる信号が受信されていないと判断された場合、本動作は、終了する。
【００５９】
ステップＳ１０３において、無線基地局ｅＮＢ＃１１は、無線基地局ｅＮＢ＃１/ｅＮＢ＃１２/ｅＮＢ＃１３に対して、上述の状態変数を通知する。
【００６０】
（変更例１）
以下、図４を参照して、本発明の変更例１に係る移動通信システムについて、上述の第１の実施形態に係る移動通信システムとの相違点に着目して説明する。
【００６１】
図４に示すように、本変更例１に係る移動通信システムにおいて、無線基地局ｅＮＢ＃１１の送信部１３は、「ａｎｃｈｏｒ  ｎｏｄｅ」を介して、無線基地局ｅＮＢ＃１/ｅＮＢ＃１２/ｅＮＢ＃１３に対して、上述の状態変数を通知するように構成されている。
【００６２】
ここで、「ａｎｃｈｏｒ  ｎｏｄｅ」とは、ＣＮ（Ｃｏｒｅ  Ｎｅｔｗｏｒｋ）とのインターフェースが確立されている無線基地局ｅＮＢであってもよいし、ＲＲＣレイヤ機能を保持する無線基地局ｅＮＢであってもよいし、セキュリティ機能を保持する無線基地局ｅＮＢであってもよいし、マクロ無線基地局（Ｍａｃｒｏ-ｅＮＢ）であってもよい。
【００６３】
以上に述べた本実施形態の特徴は、以下のように表現されていてもよい。
【００６４】
本実施形態の第１の特徴は、移動局ＵＥが「Ｉｎｔｅｒ-ｅＮＢ  ＣＡ（複数の無線基地局配下のセルを用いたキャリアアグリゲーション）」を行っている場合に、配下のセル＃１１（第１セル）を介して移動局ＵＥからの上りリンクデータを受信するように構成されている無線基地局ｅＮＢ＃１１であって、無線基地局ｅＮＢ＃１/ｅＮＢ＃１２/ｅＮＢ＃１３（他の無線基地局）に対して、移動局ＵＥとの間の通信で用いられているレイヤ２における状態変数を通知するように構成されている送信部１３を具備することを要旨とする。
【００６５】
かかる特徴によれば、移動局ＵＥからの上りリンクデータを受信するように構成されている無線基地局ｅＮＢ＃１１が、無線基地局ｅＮＢ＃１/ｅＮＢ＃１２/ｅＮＢ＃１３に対して、移動局ＵＥとの間の通信で用いられているレイヤ２における状態変数を通知するように構成されているため、「Ｉｎｔｅｒ-ｅＮＢ  ＣＡ」が行われている際に、移動局による信号の送信先の無線基地局を切り替えた場合であっても、かかる信号の受信処理の遅延を回避することができる。
【００６６】
本実施形態の第１の特徴において、送信部１３は、「ａｎｃｈｏｒ  ｎｏｄｅ（所定無線基地局）」を介して、無線基地局ｅＮＢ＃１/ｅＮＢ＃１２/ｅＮＢ＃１３に対して、上述の状態変数を通知するように構成されていてもよい。
【００６７】
かかる特徴によれば、無線基地局ｅＮＢ＃１１が、無線基地局ｅＮＢ＃１２/＃１３との間にコネクションを有していない場合であっても、無線基地局ｅＮＢ＃１２/＃１３に対して、上述の状態変数を確実に通知することができる。
【００６８】
本実施形態の第１の特徴において、送信部１３は、無線基地局ｅＮＢ＃１/ｅＮＢ＃１２/ｅＮＢ＃１３のうち、「ＤＬ  ｏｎｌｙ  ｃｅｌｌ（下りリンク専用セル）」のみを管理する無線基地局ｅＮＢに対しては、上述の状態変数を通知しないように構成されていてもよい。
【００６９】
かかる特徴によれば、上りリンクデータを受信する無線基地局ｅＮＢになり得えない無線基地局ｅＮＢに対する上述の状態変数の通知を回避することで、無駄な無線リソースの利用を回避することができる。
【００７０】
本実施形態の第１の特徴において、送信部１３は、無線基地局ｅＮＢ＃１１に対して設定されている周期で、上述の状態変数を通知するように構成されていてもよい。
【００７１】
かかる特徴によれば、無線基地局ｅＮＢ＃１１の能力やセル＃１１の大きさ等を考慮して、上述の状態変数を通知する周期を変更することができる。
【００７２】
本実施形態の第１の特徴において、送信部１３は、無線基地局ｅＮＢ＃１/ｅＮＢ＃１２/ｅＮＢ＃１３からの要求に応じて、上述の状態変数を通知するように構成されていてもよい。
【００７３】
かかる特徴によれば、無線基地局ｅＮＢ＃１１は、無線基地局ｅＮＢ＃１/ｅＮＢ＃１２/ｅＮＢ＃１３からの要求を受信しない限り、上述の状態変数を通知しないため、無線基地局ｅＮＢ＃１１の処理負荷を低減することができる。
【００７４】
本実施形態の第１の特徴において、送信部１３は、所定個数又は所定データ量の上りリンクデータが受信された場合に、上述の状態変数を通知するように構成されていてもよい。
【００７５】
かかる特徴によれば、無線基地局ｅＮＢ＃１１は、所定個数又は所定データ量の上りリンクデータが受信されてはじめて、上述の状態変数を通知するように構成されているため、無線基地局ｅＮＢ＃１１の処理負荷を低減することができる。
【００７６】
本実施形態の第１の特徴において、送信部１３は、受信された上りリンクデータに抜けが検出された場合に、上述の状態変数を通知するように構成されていてもよい。
【００７７】
かかる特徴によれば、無線基地局ｅＮＢ＃１１は、受信された上りリンクデータに抜けが検出されてはじめて、上述の状態変数を通知するように構成されているため、無線基地局ｅＮＢ＃１１の処理負荷を低減することができる。
【００７８】
本実施形態の第１の特徴において、送信部１３は、受信された上りリンクデータに抜けが検出されてから所定時間経過した後に、上述の状態変数を通知するように構成されていてもよい。
【００７９】
かかる特徴によれば、無線基地局ｅＮＢ＃１１は、受信された上りリンクデータに抜けが検出されてから所定時間経過した後にはじめて、上述の状態変数を通知するように構成されているため、無線基地局ｅＮＢ＃１１の処理負荷を低減することができる。
【００８０】
本実施形態の第１の特徴において、送信部１３は、セル＃１１における品質が所定レベルよりも劣化した場合、或いは、無線基地局ｅＮＢ＃１/ｅＮＢ＃１２/ｅＮＢ＃１３配下のセルにおける品質が所定レベルよりも良くなった場合、上述の状態変数を通知するように構成されていてもよい。
【００８１】
かかる特徴によれば、無線基地局ｅＮＢ＃１１は、セル＃１１における品質が所定レベルよりも劣化した場合、或いは、無線基地局ｅＮＢ＃１/ｅＮＢ＃１２/ｅＮＢ＃１３配下のセルにおける品質が所定レベルよりも良くなった場合にはじめて、上述の状態変数を通知するように構成されているため、無線基地局ｅＮＢ＃１１の処理負荷を低減することができる。
【００８２】
なお、上述の移動局ＵＥや無線基地局ｅＮＢ＃１/ｅＮＢ＃１１〜ｅＮＢ＃１３の動作は、ハードウェアによって実施されてもよいし、プロセッサによって実行されるソフトウェアモジュールによって実施されてもよいし、両者の組み合わせによって実施されてもよい。
【００８３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/ｅＮＢ＃１１〜ｅＮＢ＃１３内に設けられていてもよい。また、かかる記憶媒体及びプロセッサは、ディスクリートコンポーネントとして移動局ＵＥや無線基地局ｅＮＢ＃１/ｅＮＢ＃１１〜ｅＮＢ＃１３内に設けられていてもよい。
【００８５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８６】
ｅＮＢ＃１、ｅＮＢ＃１１〜ｅＮＢ＃１３…無線基地局
ＵＥ…移動局
１１…管理部
１２…受信部
１３…送信部
【図１】
2014168163.tif 000003
【図２】
2014168163.tif 000004
【図３】
2014168163.tif 000005
【図４】
2014168163.tif 000006
【図５】
2014168163.tif 000007
【図６】
2014168163.tif 000008
【図７】
2014168163.tif 000009
【図８】
2014168163.tif 000010